(57)【要約】【課題】本発明は、変動入賞装置をコンパクトにして、パチンコ機の遊技盤裏面からの変動入賞装置の突出量を極力小さくすることを目的とする。【解決手段】本発明は、入賞口５１ｈと、その入賞口５１ｈの入口に設けられ、落下してくる遊技球をその入賞口５１ｈに導ける開位置と遊技球を弾いて入賞口５１ｈに入り難くする閉位置との間で回動可能に構成された可動羽根６０と、その可動羽根６０を閉位置と開位置間で回動させる回動機構４５，４７，７８とを備えるパチンコ機の変動入賞装置４０であって、回動機構４５，４７，７８は、可動羽根６０をバネ力で閉位置に保持するバネ材７８と、バネ力に抗して可動羽根６０を開位置まで回動させるモータ４５とを有しており、モータ４５は通電が解除された状態で、可動羽根６０がバネ力で閉位置まで回動するのを妨げないように構成されている。【選択図】図７
2014050498.tif 000002
【特許請求の範囲】
【請求項１】
入賞口と、その入賞口の入口位置に設けられ、落下してくる遊技球をその入賞口に導ける開位置と前記遊技球を弾いて前記入賞口に入り難くする閉位置との間で回動可能に構成された可動羽根と、その可動羽根を前記閉位置と開位置間で回動させる回動機構とを備えるパチンコ機の変動入賞装置であって、
前記回動機構は、前記可動羽根をバネ力で前記閉位置に保持するバネ材と、前記バネ力に抗して前記可動羽根を前記閉位置から開位置まで回動させるモータとを有しており、
前記モータは通電が解除された状態で、前記可動羽根がバネ力で前記開位置から閉位置まで回動するのを妨げないように構成されていることを特徴とするパチンコ機の変動入賞装置。
【請求項２】
請求項１に記載されたパチンコ機の変動入賞装置であって、
前記可動羽根は、羽根本体部と、その羽根本体部の基端側に設けられ、前記遊技球が内部を通過可能に構成された筒状部を有しており、
前記可動羽根の筒状部が前記入賞口に挿入されて、その入賞口を通過した前記筒状部の回りにリング状歯車が設けられており、
前記リング状歯車には、前記モータの出力歯車が噛合するように構成されていることを特徴とするパチンコ機の変動入賞装置。
【請求項３】
請求項２に記載されたパチンコ機の変動入賞装置であって、
前記可動羽根の羽根本体部は、その可動羽根が開位置にある状態で、落下する遊技球を受けられるように受け皿状に構成されており、前記可動羽根が閉位置まで回動することで前記羽根本体部は傾斜し、前記遊技球を弾けるようになることを特徴とするパチンコ機の変動入賞装置。
【請求項４】
請求項２又は請求項３のいずれかに記載されたパチンコ機の変動入賞装置であって、
前記可動羽根は、軸方向における両側が回動自在に支持されており、軸方向における途中位置で遊技球を受け、あるいは弾けるように構成されていることを特徴とするパチンコ機の変動入賞装置。
【請求項５】
請求項１から請求項４のいずれかに記載されたパチンコ機の変動入賞装置であって、
前記入賞口と連通する遊技球通路を備えており、その遊技球通路が遊技盤の裏面に形成された遊技球通路溝に接続可能に構成されていることを特徴とするパチンコ機の変動入賞装置。
【発明の詳細な説明】
【技術分野】
【０００１】
本発明は、入賞口と、その入賞口の入口位置に設けられ、落下してくる遊技球をその入賞口に導ける開位置と前記遊技球を弾いて前記入賞口に入り難くする閉位置との間で回動可能に構成された可動羽根と、その可動羽根を前記閉位置と開位置間で回動させる回動機構とを備えるパチンコ機の変動入賞装置に関する。
【背景技術】
【０００２】
これに関連するパチンコ機の変動入賞装置が特許文献１に記載されている。
この変動入賞装置は、パチンコ機の遊技盤に取付けられており、遊技盤面上を落下する遊技球が入賞可能な入賞口と、その入賞口の入口位置に設けられた左右一対の可動片（チューリップ）とを備えている。左右一対の可動片は左右対称に閉位置と開位置間を回動可能なように構成されており、開位置で遊技球を入賞口に導き、閉位置で遊技球を弾けるようになっている。
前記変動入賞装置では、左右一対の可動片をソレノイド、リンク機構を使用して回動させられるように構成されている。即ち、ソレノイドの直線運動をリンク機構によって回転運動に変換し、可動片を回動させる構成である。
【先行技術文献】
【特許文献】
【０００３】
【特許文献１】特開２０１１−０４１８５４号公報
【発明の概要】
【発明が解決しようとする課題】
【０００４】
上記した変動入賞装置では、ソレノイドの直線運動をリンク機構により回転運動に変換して一対の可動片（チューリップ）を回動させる構成である。このように、リンク機構により直線運動を回転運動に変換するため、可動片を回動させる機構が大型化し、変動入賞装置の奥行き寸法が大きくなる。これにより、変動入賞装置をパチンコ機の遊技盤に取付けた状態で、遊技盤裏面からの変動入賞装置の突出寸法が大きくなり、パチンコ機の遊技盤後方のスペースが狭められるという問題がある。
【０００５】
本発明は、上記問題点を解決するためになされたものであり、本発明の技術的課題は、変動入賞装置をコンパクトにして、パチンコ機の遊技盤裏面からの変動入賞装置の突出量を極力小さくし、パチンコ機の遊技盤後方のスペースを有効利用できるようにすることである。
【課題を解決するための手段】
【０００６】
上記した課題は、各請求項の発明によって解決される。
請求項１の発明は、入賞口と、その入賞口の入口位置に設けられ、落下してくる遊技球をその入賞口に導ける開位置と前記遊技球を弾いて前記入賞口に入り難くする閉位置との間で回動可能に構成された可動羽根と、その可動羽根を前記閉位置と開位置間で回動させる回動機構とを備えるパチンコ機の変動入賞装置であって、前記回動機構は、前記可動羽根をバネ力で前記閉位置に保持するバネ材と、前記バネ力に抗して前記可動羽根を開位置まで回動させるモータとを有しており、前記モータは通電が解除された状態で、前記可動羽根がバネ力で前記閉位置まで回動するのを妨げないように構成されていることを特徴とする。
【０００７】
本発明によると、モータの回転運動で可動羽根を回動させるため、従来のように、ソレノイドの直線運動を回転運動に変換するリンク機構等が不要になり、可動羽根の回動機構を簡素化できる。このため、変動入賞装置がコンパクトになり、その変動入賞装置の奥行き寸法を小さくできる。これにより、変動入賞装置が取付けられるパチンコ機の遊技盤裏面からの変動入賞装置の突出量が小さくなり、パチンコ機の遊技盤後方のスペースを有効利用できるようになる。
【０００８】
請求項２の発明によると、可動羽根は、羽根本体部と、その羽根本体部の基端側に設けられ、前記遊技球が内部を通過可能に構成された筒状部を有しており、前記可動羽根の筒状部が前記入賞口に挿入されて、その入賞口を通過した前記筒状部の回りにリング状歯車が設けられており、前記リング状歯車には、前記モータの出力歯車が噛合するように構成されていることを特徴とする。
このように、可動羽根の筒状部の回りに設けられたリング状歯車とモータの出力歯車とを直接的に噛合させて可動羽根を回動させる構成のため、回動機構が簡素化して変動入賞装置がコンパクトになる。
【０００９】
請求項３の発明によると、可動羽根の羽根本体部は、その可動羽根が開位置にある状態で、落下する遊技球を受けられるように受け皿状に構成されており、前記可動羽根が閉位置まで回動することで前記羽根本体部は傾斜し、前記遊技球を弾けるようになることを特徴とする。
【００１０】
請求項４の発明によると、可動羽根は軸方向における両側が回動自在に支持されており、軸方向における途中位置で遊技球を受け、あるいは弾けるように構成されていることを特徴とする。
このように、可動羽根は軸方向における両側が回動自在に支持されているため、可動羽根の強度が向上する。
【００１１】
請求項５の発明によると、入賞口と連通する遊技球通路を備えており、その遊技球通路が遊技盤の裏面に形成された遊技球通路溝に接続可能に構成されていることを特徴とする。
このように、変動入賞装置の遊技球通路が遊技盤の裏面の遊技球通路溝に接続可能に構成されているため、遊技球通路溝の深さ寸法分だけ遊技盤裏面に対する変動入賞装置の後方突出量を小さくできる。
【発明の効果】
【００１２】
本発明によると、変動入賞装置がコンパクトになり、パチンコ機の遊技盤裏面からの変動入賞装置の突出量が小さくなる。このため、パチンコ機の遊技盤後方のスペースを有効利用できるようになる。
【図面の簡単な説明】
【００１３】
【図１】本発明の実施形態１に係る変動入賞装置を備えるパチンコ機の分解斜視図である。
【図２】本実施形態に係る変動入賞装置が取付けられた遊技盤の正面図である。
【図３】前記変動入賞装置の全体斜視図である。
【図４】前記変動入賞装置の縦断面を表す斜視図である。
【図５】前記変動入賞装置の分解斜視図である。
【図６】前記変動入賞装置を遊技盤に取付けた状態を表す縦断面図である。
【図７】前記変動入賞装置の可動羽根の動作を表す正面図である。
【図８】前記変動入賞装置の可動羽根の動作を表す正面図である。
【図９】変更例１に係る変動入賞装置の表面カバーを表す斜視図である。
【図１０】変更例２に係る変動入賞装置の表面カバーを表す斜視図である。
【発明を実施するための形態】
【００１４】
［実施形態１］
以下、図１〜図１０に基づいて本発明の実施形態１に係るパチンコ機の変動入賞装置の説明を行なう。実施形態１に係るパチンコ機の変動入賞装置４０は、電動チューリップ、いわゆる電チューであり、図中に示す前後左右及び上下はパチンコ機における前後左右及び上下に対応している。
ここで、本実施形態に係る変動入賞装置４０について説明する前に、その変動入賞装置４０を備えるパチンコ機１０の概要について説明する。
【００１５】
＜パチンコ機１０の概要について＞
パチンコ機１０は、図１に示すように、略方形枠状に形成されて本体ケースとなる外枠１２を備えており、その外枠１２に上下のヒンジ装置２２，２４を介して本体枠１４が扉状に開閉可能な状態で連結されている。本体枠１４は、遊技盤３０（図1では省略、図２参照）や球発射装置、払出し装置（図示省略）等、パチンコ機１０の各種電装機器を支持する枠体であり、その遊技盤３０の下側に玉受け皿１５ｋ等を有する前板１５が取付けられている。
また、本体枠１４の前側には、遊技盤３０の部分を視認可能な状態で覆うガラス枠１６がヒンジ装置２６，２８によって扉状に開閉可能な状態で連結されている。
遊技盤３０は、図２に示すように、ほぼ四角形板状に形成されており、その前面に遊技盤面３０ｕが設けられている。遊技盤面３０ｕには、球発射装置（図示省略）から発射された遊技球（図示省略）をガイドする円弧形の案内レール３２が設けられており、その案内レール３２によって中央の遊技領域３３と、周囲の非遊技領域３４とが区画されている。
遊技盤３０には、遊技領域３３のほぼ中央部に図柄表示装置を備えるセンタ役物装置３５が配置され、そのセンタ役物装置３５の周囲に入賞装置３６、本発明に係る変動入賞装置４０等の役物装置や風車器、誘導釘、ランプ装飾部材等の各種の装備品（図示省略）が配設されている。
【００１６】
＜変動入賞装置４０の概要について＞
変動入賞装置４０は、図３等に示すように、可動羽根６０の回動動作により入賞口５１ｈに対する遊技球の入賞確率を変動させられるようにした装置である。変動入賞装置４０は、図４、図５等に示すように、ハウジング部４３と、そのハウジング部４３に収納されるモータ４５、歯車機構４７と、ハウジング部４３の前面側開口を塞ぐ蓋板５０と、その蓋板５０に形成された入賞口５１ｈの入口位置で回動可能に構成された可動羽根６０と、可動羽根６０を前側から覆うカバー部材７０とを備えている。
【００１７】
＜変動入賞装置４０のハウジング部４３について＞
変動入賞装置４０のハウジング部４３は、図５に示すように、前面側と下面側とが開放された略角筒状の容器であり、そのハウジング部４３の下端両側位置に支持レール部４３ｒが前後方向に延びるように形成されている。支持レール部４３ｒは断面略Ｃ字形をしたレール部であり、左右の支持レール部４３ｒの溝側が対向するように左右対称に形成されている。そして、左右の支持レール部４３ｒ間にハウジング部４３の下面を塞ぐ角形の底板４８が前方から嵌め込まれるようになっている。底板４８の後部中央には、図５等に示すように、円形の遊技球用開口４８ｈが形成されている。
また、ハウジング部４３の内部には、図４、図５等に示すように、前面中央位置から後方（軸方向）に延びる断面円形の遊技球通路４４が形成されており、その遊技球通路４４がハウジング部４３の後部空間４４ｓ（図４参照）を介して前記底板４８の遊技球用開口４８ｈと連通している。即ち、遊技球は、遊技球通路４４によってハウジング部４３の後方に導かれ、後部空間４４ｓを通過して遊技球用開口４８ｈから落下するようになる。
さらに、ハウジング部４３の内部には、遊技球通路４４の上側にモータ４５を収納するモータ用空間４３ｓが形成されている。そして、ハウジング部４３の天井壁部にモータ４５の位置決めに使用される位置決めスリット４３ｚがそのハウジング部４３の前端位置から後方に延びるように形成されている。
【００１８】
＜モータ４５及び歯車機構４７について＞
モータ４５は、ステッピングモータであり、通電が解除された状態で出力軸４５ｐを外力により回転させられるように構成されている。モータ４５には、図５に示すように、モータケース４５ｃの上面に角形の位置決め用の突起４５ｔが形成されている。そして、モータ４５がハウジング部４３のモータ用空間４３ｓに前方から収納される際、モータ４５の突起４５ｔが、図４に示すように、ハウジング部４３の位置決めスリット４３ｚに前方から嵌め込まれることで、モータ４５は前向き位置（出力軸４５ｐが前方に突出する位置）に位置決めされる。
モータ４５の出力軸４５ｐには、歯車機構４７を構成する出力歯車４７ｍが固定されている。歯車機構４７は、モータ４５の回転力を受けて可動羽根６０を軸心回りに回動させる機構であり、後記するように可動羽根６０に対して相対回転不能に連結されたリング状歯車４７ｅと、上記した出力歯車４７ｍとを備えている。そして、出力歯車４７ｍがリング状歯車４７ｅと噛合している。ここで、リング状歯車４７ｅは、出力歯車４７ｍに対して複数倍の歯数を有しているため、モータ４５の回転速度は減速された状態（回転力が増幅された状態）で可動羽根６０に伝達される。
歯車機構４７は、ハウジング部４３の前面側の開口近傍に収納される。
【００１９】
＜蓋板５０について＞
蓋板５０は、ハウジング部４３にモータ４５、歯車機構４７、及び底板４８が収納された状態で、そのハウジング部４３の前面側開口を塞ぐ部材であり、変動入賞装置４０を遊技盤面３０ｕに固定する際の固定板としても使用される。蓋板５０は、図５に示すように、蓋板本体部５１と、その蓋板本体部５１の裏面上部から後方に突出する左右一対の連結バー５３とを備えている。
蓋板５０の蓋板本体部５１は、ハウジング部４３の前面形状とほぼ等しい形状をしており、その蓋板本体部５１の外周縁がハウジング部４３に対して一定幅寸法だけ半径方向外側に張り出すように構成されている。そして、蓋板本体部５１の外周縁の四隅に、蓋板５０を遊技盤面３０ｕに固定するためのネジ孔５１ｘが形成されている。
また、蓋板本体部５１のほぼ中央位置には、円形の貫通孔である入賞口５１ｈがハウジング部４３の遊技球通路４４と同心になるように設けられている。さらに、入賞口５１ｈの真上位置には、モータ４５の出力歯車４７ｍの先端軸部４７ｆを回動自在に支持する軸受孔５１ｙが形成されている。
【００２０】
蓋板５０の左右一対の連結バー５３は、ハウジング部４３に対して蓋板５０を位置決めするとともに、蓋板５０とハウジング部４３とを連結するためのものである。左右の連結バー５３の先端面（後端面）には、雌ネジ孔（図示省略）が軸方向に形成されており、その雌ネジ孔がハウジング部４３の後壁板に形成されたネジ孔（図示省略）に合わせられるようになっている。即ち、蓋板５０の連結バー５３をハウジング部４３のモータ用空間４３ｓに挿入し、蓋板本体部５１でハウジング部４３の前面側開口を塞いだ状態で、連結バー５３の雌ネジ孔がハウジング部４３の後壁板のネジ孔と合わせられるようになる。このため、ハウジング部４３の後側からネジ孔、雌ネジ孔を利用して左右の連結バー５３をハウジング部４３の後壁板にネジ止めすることで、蓋板５０をハウジング部４３に固定できるようになる。
【００２１】
＜可動羽根６０について＞
可動羽根６０は、遊技盤面３０ｕを落下してくる遊技球を入賞口５１ｈに導いたり、弾いたりするための羽根であり、図５に示すように、羽根本体部６１と筒状部６５とから構成されている。羽根本体部６１は、半円筒部６２と、その半円筒部６２の幅方向両側に設けられ、半円筒部６２に対して遊技球を集められるように構成された一対のガイド部６３と、半円筒部６２の先端部分を塞ぐ扇形の前壁部６４とから構成されている。羽根本体部６１は、半円筒部６２が水平な状態で遊技球を一個受けられるように構成されており、半円筒部６２の内径寸法と軸方向の長さ寸法とが遊技球の外径寸法よりも若干大きく設定されている。また、羽根本体部６１の前壁部６４には、半円筒部６２と同軸位置に突出軸６４ｊが前方に突出するように形成されている。
羽根本体部６１の基端部には筒状部６５が半円筒部６２と同軸になるように接続されている。筒状部６５は、羽根本体部６１の半円筒部６２で受けられた遊技球をハウジング部４３内の遊技球通路４４に導く部分であり、その筒状部６５の内径寸法が半円筒部６２の内径寸法と等しく設定されている。このため、筒状部６５の内部を遊技球が通過できるようになる。
さらに、筒状部６５の外径寸法は蓋板５０の入賞口５１ｈの内径寸法より小さく設定されており、その筒状部６５が蓋板５０の入賞口５１ｈに挿通されるようになっている。即ち、可動羽根６０の羽根本体部６１で受けられた遊技球は筒状部６５の開口部６５ｈからその筒状部６５内に入り、筒状部６５を通過する過程で蓋板５０の入賞口５１ｈを通過するようになる。
そして、蓋板５０の入賞口５１ｈに通された可動羽根６０の筒状部６５に対して前記歯車機構４７のリング状歯車４７ｅが半径方向外側から嵌め込まれるようになっている。ここで、可動羽根６０の筒状部６５とリング状歯車４７ｅとは回り止め部を介して嵌め込まれているため、可動羽根６０の筒状部６５とリング状歯車４７ｅとの相対回転が禁止される。このため、前記モータ４５の駆動により歯車機構４７が動作することで可動羽根６０が軸心回りに回動するようになる。
【００２２】
＜カバー部材７０について＞
前記可動羽根６０は、図４等に示すように、カバー部材７０によって前側が覆われている。
カバー部材７０は、可動羽根６０の前側を覆った状態で、その可動羽根６０の先端を回動自在に支持する板状部材である。カバー部材７０は、カバー板本体部７２と、そのカバー板本体部７２を蓋板５０の蓋板本体部５１に連結する左右の上部連結バー７４と下部中央連結バー７５とから構成されている。
カバー板本体部７２は、蓋板５０の蓋板本体部５１とほぼ等しい形状で、その蓋板本体部５１に対して一回り小さく形成されており、蓋板本体部５１と平行に位置決めされている。カバー板本体部７２の後面中央には、図４に示すように、可動羽根６０の羽根本体部６１の先端が嵌め込まれる円形凹部７３が形成されており、その円形凹部７３の底部中心に羽根本体部６１の突出軸６４ｊを回動自在に支持する軸受部７３ｅが形成されている。さらに、カバー板本体部７２の円形凹部７３内には、図８に示すように、可動羽根６０を閉位置、即ち、遊技球を弾いて入賞口５１ｈに入り難くする位置に保持するコイルバネ７８が収納されている。ここで、コイルバネ７８は、一端側がカバー板本体部７２の円形凹部７３のバネ受け７３ｂに掛けられており、他端側が可動羽根６０の前壁部６４のバネ受け６４ｂに掛けられている。そして、コイルバネ７８は、可動羽根６０を、図７、図８において、右回転させる方向に付勢されている。
【００２３】
カバー部材７０の左右の上部連結バー７４と下部中央連結バー７５とは、図３に示すように、カバー板本体部７２を蓋板５０の蓋板本体部５１に連結する部材であり、左側の上部連結バー７４と下部中央連結バー７５間、右側の上部連結バー７４と下部中央連結バー７５間、及び左右の上部連結バー７４間に遊技球を通過させられるように構成されている。
左右の上部連結バー７４の先端面（後端面）と下部中央連結バー７５の先端面（後端面）とには、雌ネジ孔（図示省略）が軸方向に形成されている。ここで、蓋板５０の蓋板本体部５１には、カバー部材７０の左右の上部連結バー７４における雌ネジ孔に対応する位置にネジ孔５１ｅ（図５参照）が形成されている。また、蓋板５０の蓋板本体部５１には、カバー部材７０の下部中央連結バー７５の雌ネジ孔に対応する位置にネジ孔５１ｆ（図５等参照）が形成されている。このため、蓋板５０の蓋板本体部５１の後側から雌ネジ孔、ネジ孔５１ｅ，５１ｆを利用してカバー部材７０の左右の上部連結バー７４、下部中央連結バー７５を蓋板本体部５１にネジ止めすることで、カバー部材７０を蓋板５０に固定できるようになる。
【００２４】
＜遊技盤面３０ｕに対する変動入賞装置４０の取付けについて＞
次に、遊技盤面３０ｕに対する変動入賞装置４０の取付けについて説明する。
変動入賞装置４０を遊技盤面３０ｕに取付ける場合には、先ず、図６に示すように、遊技盤３０の所定位置に形成された取付け貫通穴３７に変動入賞装置４０のハウジング部４３を挿入し、蓋板５０の蓋板本体部５１の外周縁を取付け貫通穴３７の周縁に位置する遊技盤面３０ｕに当接させる。この状態で、蓋板本体部５１の外周縁を四隅のネジ孔５１ｘを利用して遊技盤面３０ｕにネジ止めすることにより、変動入賞装置４０を遊技盤面３０ｕに取付けることができる。そして、変動入賞装置４０が遊技盤面３０ｕに取付けられた状態で、遊技球の出口、即ち、ハウジング部４３に収納された底板４８の遊技球用開口４８ｈは、図６に示すように、遊技盤３０の裏面（後面）に形成された遊技球通路溝３８と接続が可能な位置に位置決めされる。
【００２５】
＜変動入賞装置４０の動作について＞
次に、変動入賞装置４０の動作について説明する。
変動入賞装置４０は、モータ４５の通電が解除された状態で、図８に示すように、可動羽根６０がコイルバネ７８のバネ力により右回動限位置である閉位置に保持されている。閉位置では、可動羽根６０の羽根本体部６１は入賞口５１ｈ（筒状部６５の開口部６５ｈ）を庇状に覆うように傾斜した状態に保持される。これにより、遊技盤面３０ｕを落下する遊技球は可動羽根６０の羽根本体部６１に弾かれて入賞口５１ｈには入り難くなる。
次に、変動入賞装置４０に対してモータ４５の駆動信号が入力されると、モータ４５が駆動して、そのモータ４５の回転力が歯車機構４７の出力歯車４７ｍから可動羽根６０に固定されたリング状歯車４７ｅに伝えられる。これにより、可動羽根６０が、図８に示す閉位置からコイルバネ７８のバネ力に抗して左方向に回動するようになる。そして、図７に示すように、可動羽根６０の羽根本体部６１が水平になる開位置まで回動すると、その開位置に保持される。可動羽根６０が開位置にある状態では、羽根本体部６１が受け皿状に遊技球を受けられるようになる。
そして、可動羽根６０の羽根本体部６１で受けられた遊技球は、可動羽根６０の筒状部６５の開口部６５ｈからその筒状部６５を通過する過程で、図４、図６等に示すように、蓋板５０の入賞口５１ｈを通過し、ハウジング部４３内の遊技球通路４４に導かれる。さらに、前記遊技球は、ハウジング部４３内の遊技球通路４４から後部空間４４ｓを通って底板４８の遊技球用開口４８ｈから下方に落下する。そして、この遊技球が遊技盤３０の裏側で遊技球通路溝３８を利用して作られた遊技球通路（図示省略）により所定位置まで導かれる。
また、変動入賞装置４０に対してモータ４５の通電停止信号が入力されると、モータ４５が停止して、可動羽根６０はコイルバネ７８のバネ力で、図７に示す開位置から右方向に回動して閉位置（図８参照）まで戻されるようになる。
このように、前記モータ４５、歯車機構４７、及びコイルバネ７８が本発明の回動機構に相当し、前記コイルバネ７８が本発明のバネ材に相当する。
【００２６】
＜本実施形態に係る変動入賞装置４０の長所について＞
本実施形態に係る変動入賞装置４０によると、モータ４５の回転運動で可動羽根６０を回動させるため、従来のように、ソレノイドの直線運動を回転運動に変換するリンク機構等が不要になり、可動羽根６０の回動機構を簡素化できる。このため、変動入賞装置４０がコンパクトになり、その変動入賞装置４０の奥行き寸法を小さくできる。これにより、変動入賞装置４０が取付けられるパチンコ機１０の遊技盤３０の裏面からの変動入賞装置４０の突出量が小さくなり、パチンコ機１０の遊技盤３０の後方スペースを有効利用できるようになる。
さらに、歯車機構４７は、可動羽根６０の筒状部６５の回りに設けられたリング状歯車４７ｅとモータ４５の出力歯車４７ｍとを直接的に噛合させる構成のため、歯車機構４７（回動機構）が簡素化して変動入賞装置４０がコンパクトになる。
また、可動羽根６０は軸方向における両側が回動自在に支持されているため、可動羽根６０の強度が向上する。
また、変動入賞装置４０の遊技球通路４４が遊技盤３０の裏面の遊技球通路溝３８に接続可能に構成されているため、遊技球通路溝３８の深さ寸法分だけ遊技盤裏面に対する変動入賞装置４０の後方突出量を小さくできる。
【００２７】
＜変更例＞
ここで、本発明は上記実施形態に限定されるものではなく、本発明の要旨を逸脱しない範囲における変更が可能である。例えば、本実施形態に係る変動入賞装置４０では、図５等に示すように、歯車機構４７のリング状歯車４７ｅの外周面全体に歯を設ける例を示した。しかし、可動羽根６０の回動範囲に合わせてリング状歯車４７ｅの外周面に部分的に歯を設けるようにすることも可能である。また、本実施形態では、可動羽根６０とリング状歯車４７ｅとを個別に製作する例を示したが、可動羽根６０とリング状歯車４７ｅとを一体に成形することも可能である。
さらに、本実施形態では、半円筒部６２を備える羽根本体部６１と筒状部６５とから可動羽根６０を構成し、その可動羽根６０を軸心回りに回動させる例を示した。しかし、可動羽根６０をチューリップ状に形成して歯車機構４７により回動させる構成でも可能である。
また、本実施形態では、左側の上部連結バー７４と下部中央連結バー７５間、右側の上部連結バー７４と下部中央連結バー７５間、及び左右の上部連結バー７４間に遊技球を通過させられるように構成されたカバー部材７０を例示した。しかし、図９に示すように、右側の上部連結バー７４と下部中央連結バー７５間の開口を壁板部７４ｒにより塞いだカバー部材７０を使用することも可能である。また、図１０に示すように、左側の上部連結バー７４と下部中央連結バー７５間の開口を壁板部７４ｆにより塞いだカバー部材７０を使用することも可能である。
【符号の説明】
【００２８】
１０・・・・パチンコ機
３０・・・・遊技盤
３８・・・・遊技球通路溝
４０・・・・変動入賞装置
４４・・・・遊技球通路
４５・・・・モータ（回動機構）
４７ｅ・・・リング状歯車
４７ｍ・・・出力歯車
４７・・・・歯車機構（回動機構）
４８ｈ・・・遊技球用開口
５１ｈ・・・入賞口
６０・・・・可動羽根
６１・・・・羽根本体部
６５・・・・筒状部
７８・・・・コイルバネ（バネ材）（回動機構）
【図１】
2014050498.tif 000003
【図２】
2014050498.tif 000004
【図３】
2014050498.tif 000005
【図４】
2014050498.tif 000006
【図５】
2014050498.tif 000007
【図６】
2014050498.tif 000008
【図７】
2014050498.tif 000009
【図８】
2014050498.tif 000010
【図９】
2014050498.tif 000011
【図１０】
2014050498.tif 000012